(57)【特許請求の範囲】
【請求項１】
一対のプレステーブルの少なくとも一方に装備されテーブル上の被圧潰部材の載置姿勢を維持する姿勢保持具を設け、この姿勢保持具を前記テーブルに形成した収容部に格納可能とするとともに、被圧潰部材のプレス進行に伴って前記姿勢保持具を前記収容部に引き込み収容させるよう弾発支持してなる圧潰プレス装置であって、前記姿勢保持具を開脚動作可能かつ閉脚方向に弾発付勢されてなる一対の回転アームにより形成し、当該回転アームを被圧潰部材へのプレス進行に伴って押し開くことにより前記収容部に引き込み収容可能としてなることを特徴とする圧潰プレス装置。
【発明の詳細な説明】
【０００１】
【発明の属する技術分野】
本発明は、ー対のプレステーブルによって部材を圧潰する、加圧式の圧潰プレス装置に関するものであり、特に断面形状が不特定な産業廃棄物や略平らになるまで徹底して圧潰する必要のある、例えば原子力発電所の設備から発生する放射性廃棄物等の圧潰に適している。
【０００２】
【従来の技術】
種々の設備から発生する産業廃棄物は、断面形状が不特定であり、中には転倒しないような姿勢で圧潰プレス装置のテーブル間にセットすると、圧潰プレスが困難な断面形状のものもある。
【０００３】
また、原子力発電所の設備から発生する放射性廃棄物は、専用の収納箱に入れて保管され、その際、効率良く収納箱に入れるために、放射性廃棄物を加圧式の圧潰プレス装置で略平らになるまで圧潰することが行われている。
【０００４】
従来、圧潰が困難な部材を圧潰プレスする場合には、人手や専用の保持治具を用いて、物品をテーブル間に圧潰プレスの可能な姿勢に保持しながら、油圧ジャッキ等を作動させて圧潰作業を行い、適当な段階で部材を人が保持するのを止めるか、保持治具を取り外して、更に圧潰プレスを続行するという作業を行っていた。
【０００５】
また、部材を効率よく平らになるまで圧潰プレスするために、部材をより容易に圧潰できる姿勢に保持することも行われていた。例えば、図７（１）のように、角型鋼管２をー対のプレステーブル３、４で圧潰プレスする場合には、下テーブル３上に角型鋼管２の側面２ａを載置するのではなく、図7（２）のように人手又は専用の保持治具２６により、下テーブル３上に角型鋼管２の陵部２ｂを保持して圧潰プレスすることが行われていた。
【０００６】
【発明が解決しようとする課題】
しかし、この方法は、人手で行う場合には危険を伴うという問題があった。また、専用の保持治具を使用する場合には、圧潰作業の途中で保持治具が邪魔になるため、圧潰作業の途中で保持治具を取り外す必要があり、圧潰作業を中断しなければならなかった。
【０００７】
本発明は、このような問題を解消することを目的とし、人手を要せず、圧潰作業の途中で保持治具を取り外す必要のない圧潰プレス装置を提供することを目的とする。特に、原子力発電所等から発生する廃棄物を専用の収容箱に収容する際に要求される、徹底した減容処理に対処し得る圧潰プレス装置を提供することを目的とする。
【０００８】
【課題を解決するための手段】
本発明は、一対のプレステーブルの少なくとも一方に装備されテーブル上の被圧潰部材の載置姿勢を維持する姿勢保持具を設け、この姿勢保持具を前記テーブルに形成した収容部に格納可能とするとともに、被圧潰部材のプレス進行に伴って前記姿勢保持具を前記収容部に引き込み収容させるよう弾発支持してなる圧潰プレス装置であって、前記姿勢保持具を開脚動作可能かつ閉脚方向に弾発付勢されてなる一対の回転アームにより形成し、当該回転アームを被圧潰部材へのプレス進行に伴って押し開くことにより前記収容部に引き込み収容可能としてなることを特徴とする圧潰プレス装置である。
【００１１】
【作用】
圧潰作業の開始に際して、被圧潰部材は、効率よく圧潰し得るような姿勢に姿勢保持具で保持されて、例えば下テーブル上に載置される。
姿勢保持具をー対の回転アームにより形成したものにおいては、プレスの進行に伴って、ー対の回転アームは押し開かれ、開脚することにより、下テーブルに形成された収容部に引き込まれ収容される。そして、プレスが完了すると、ー対の回転アームは弾発支持部材としての引っ張りばねにより、閉脚して元の位置に戻る。
【００１２】
姿勢保持具を複数の伸縮により形成したものにおいては、プレスの進行に伴って、複数の伸縮アームは押し下げられることにより、下テーブルに形成された収容部に引き込まれ収容される。そして、プレスが完了すると、複数の伸縮アームは弾発部材としての圧縮ばねにより、押し上げられて元の位置に戻る。
【００１３】
これにより、作業員を必要とせず、また、圧潰作業の途中で被圧潰部材の保持用の治具を取り外す必要がなく、従って圧潰作業を中断することなく、部材を略平らになるまで圧潰することができる。
【００１４】
【発明の実施の形態】
次に、本発明の好ましい実施形態を図に基づいて説明する。図１及び図２は本発明の装置全体の斜視図であり、図１は圧潰作業を行う前の状態を示し、図２は圧潰作業を完了した状態を示す。図３は本発明に係る装置の第１実施例の要部正面図である。図４は図３のＡ〜Ａ矢視図である。図５は図３のＢ〜Ｂ矢視図である。
【００１５】
図１、２において、圧潰プレス装置１の中央部に、被圧潰部材２を載置する一対のプレステーブル３、４が設けられている。下テーブル３には後述の姿勢保持具が複数基設けられている。下テーブル３の上面に対向して、上テーブル４が油圧ジャッキ５によって被圧潰部材２を圧潰可能に設置されている。油圧ジャッキ５は、圧潰プレス装置１の近傍に配置された油圧ポンプ６によって作動される。下テーブル３、上テーブル４の両側部には昇降案内用の凹部７が設けられており、凹部７は圧潰プレス装置１の左右側部に垂直に設けられたガイドレール付き支柱８に、上下方向に摺動可能に嵌合している。上テーブル３、下テーブル４の周囲には安全壁９が張り回らされており、安全壁９には上テーブル４、下テーブル３の前面に、被圧潰部材２を出し入れするゲート１０が取付けてある。図１はゲート１０を開いて、被圧潰部材２を姿勢保持具５ａによって支持して、下テーブル３上に載置した状態を示す。図２は被圧潰部材２の圧潰を完了した状態を示す。
【００１６】
次に、本発明の第１の実施例では、図３〜５に示すように、下テーブル３の上面に、被圧潰部材２を載置する位置に、複数個の開口部１１が設けられており、夫々の開口部１１の正面側縁部１２にテーブル１の下方向に延在する取付けプレート１３が固定されている。
【００１７】
前記取付けプレート１３は下テーブル３上の被圧潰部材２を一定姿勢のままに載置させる姿勢保治具を装備するためのもので、取付けプレート１３の上部に、姿勢保治具としての左右ー対の回転アーム１４ａ、１４ｂが開脚動作可能かつ閉脚方向に弾発付勢されて、取り付けられている。ー対の回転アーム１４ａ、１４ｂの中間部はピン１５ａ、１５ｂで枢着され、部材２の搬入方向に対して垂直な平面上で開脚動作可能に支持されている。回転アーム１４ａ、１４ｂの上部は部材２を容易に保持できるように、互いに反対方向に向かって湾曲している。そして、回転アーム１４ａ、１４ｂの上端部には部材保持部として、部材２を保持するための台座１６ａ、１６ｂが設けてある。
【００１８】
回転アーム１４ａ、１４ｂの下端部には引っ張りばね１７ａ、１７ｂの一端を係止するピン１８ａ、１８ｂが取付けてある。引っ張りばね１７ａ、１７ｂの他端は取付けプレート１３に取付けられたピン１９ａ、１９ｂに係止されている。引っ張りばね１７ａ、１７ｂは、回転アーム１４ａ、１４ｂを弾発的に支える働きをするものであり、圧潰の開始に際して部材２が下テーブル３上に載置された状態では、台座１６ａ、１６ｂを下テーブル３の上方に位置させるー方、圧潰が完了して部材２が略平らな形状に圧縮された状態では、回転アーム１４ａ、１４ｂが下テーブル３の上面より下方に位置させ得るように、回転アーム１４ａ、１４ｂを弾発的に支持する。したがって、被圧潰部材２のプレス進行に伴って姿勢保持具としての回転アーム１４ａ、１４ｂを引っ張りばね１７ａ、１７ｂに抗して回転させ、収容部としての開口部１１内に引き込み収容させることができるようになっている。また、取付けプレート１３には、引っ張りばね１７ａ、１７ｂにより回転アーム１４ａ、１４ｂが閉じるのを止めるためのストッパ２０ａ、２０ｂが設けてある。
【００１９】
次に、上記装置による圧潰作業を説明する。先ず、図３（１）に示すように、圧潰作業の開始に際して、被圧潰部材２を効率よく圧潰し得るような姿勢で、回転アーム１４ａ、１４ｂで保持して下テーブル３上に載置する。図３（１）の例は、角型鋼管２を圧縮する場合であり、回転アーム１４ａ、１４ｂの中間部に角型鋼管２の陵部２ｂが差し込まれるように保持して下テーブル３上に角型鋼管２を載置し、その姿勢を保持する。圧潰作業が進行するにつれて、引っ張りばね１７ａ、１７ｂに引っ張られながら回転アーム１４ａ，１４ｂは次第に開脚して行く。そして、圧潰作業が完了して被圧潰部材２が略平らな形状に圧潰された状態では、図３（２）のように、回転アーム１４ａ、１４ｂは下テーブル３の上面より下方に引き込まれて収容される。圧潰された被圧潰部材２が取り除かれると、引っ張りばね１７ａ、１７ｂの復元力により回転アーム１４ａ、１４ｂは閉脚して図３（１）の状態に戻る。
【００２０】
これにより、作業員を必要とせず、また、圧潰作業の途中で被圧潰部材の保持用の治具を取り外す必要がなく、従って圧潰作業を中断することなく、部材を略平らになるまで圧潰することができる。
【００２１】
次に、本発明の装置に類似する実施例を図６（１）、（２）に基づいて説明する。図６（１）は圧潰作業を行う前の状態を示し、図６（２）は圧潰作業を完了した状態を示す。この実施例では、下テーブル３の下側に圧縮ばね２２ａ、２２ｂに付勢された、姿勢保持具としての複数の伸縮アーム２１ａ、２１ｂが収容されている。伸縮アーム２１ａ、２１ｂの上部は、下テーブル３に設けた孔２３ａ、２３ｂから下テーブル３の上方に出ている。伸縮アーム２１ａ、２１ｂの下端部には、圧縮ばね２２ａ、２２ｂを係止する係止部２４ａ、２４ｂが設けられており、中間部には伸縮アーム２１ａ、２１ｂが抜けるのを止める段部２５ａ、２５ｂが設けられている。なお、この実施例では、伸縮アームは２個示したが、伸縮アームの設置数を増せばそれだけ安定して被圧潰部材２を保持することができる。
【００２２】
次に、上記装置による圧潰作業を説明する。図６（１）の状態から圧潰作業が進行するにつれ、圧縮ばね２２ａ、２２ｂが圧縮されて、伸縮アーム２１ａ、２１ｂは次第に押し下げられて行く。そして、圧潰作業が完了して被圧潰部材２が略平らな形状に圧潰された状態では、図６（２）のように、伸縮アーム２１ａ、２１ｂは下テーブル３の下側に引き込まれて収容される。圧潰された部材２が取り除かれると、圧縮ばね２２ａ、２２ｂの復元力により伸縮アーム２１ａ、２１ｂは押し上げられて、図６（１）の状態に戻る。
【００２３】
これにより、作業員を必要とせず、また、圧潰作業の途中で被圧潰部材の保持用の治具を取り外す必要がなく、従って圧潰作業を中断することなく、被圧潰部材を略平らになるまで圧潰することができる。
【００２４】
なお、上記実施形態では下テーブル３に姿勢保持部材を装備した例を示しているが、上テーブル４に装備することも場合によっては可能であり、更に、左右挟着型の圧潰テーブル構造のものにも適用できる。
【００２５】
【発明の効果】
以上説明したように、本発明により、人手を要せず、圧潰作業の途中で治具を取り外す必要のない圧潰作業が可能となる。特に、原子力発電所等から発生する廃棄物を専用の収容箱に収容する際に要求される、徹底した減容処理に対処し得る圧潰作業が可能となる。
【００２６】
本発明により、作業性を向上することができ、作業コストも大きく低減できるので、大きな工業的効果を奏する。
【図面の簡単な説明】
【図１】  本発明の装置の斜視図であり、被圧潰部材を搬入した状態を示す。
【図２】  本発明の装置の斜視図であり、圧潰完了時の状態を示す。
【図３】  本発明の装置のー実施例の要部拡大ー部断面図である。（１）は圧潰開始時の状態を示す。（２）は圧潰完了時の状態を示す。
【図４】  図３（１）のＡ−Ａ断面図である。
【図５】  図３（１）のＢ−Ｂ断面図である。
【図６】  本発明の装置に類似する実施例の要部拡大ー部断面図である。（１）は圧潰開始時の状態を示す。（２）は圧潰完了時の状態を示す。
【図７】  従来の圧潰作業の説明図である。
【図１】
0003873750.tif 000002
【図２】
0003873750.tif 000003
【図３】
0003873750.tif 000004
【図４】
0003873750.tif 000005
【図５】
0003873750.tif 000006
【図６】
0003873750.tif 000007
【図７】
0003873750.tif 000008